(57)【要約】【課題】バッテリ駆動の端末に対し、バッテリ残量及び消費電力に応じた通信サービスを実現できるようにしたサーバ装置を提供する。【解決手段】通信サーバＳＶの記憶部１３に、バッテリ状態テーブル１３１、転送先テーブル１３２、電力量テーブル１３３、通信メディア決定テーブル１３４、着信優先者テーブル１３５、グループテーブル１３６、着信通知テーブル１３７を記憶しておくとともに、バッテリ残量情報取得部１２１により定期的に端末からバッテリの残量情報を取得し、端末からの要求または公衆網に接続される外部電話端末からの要求に応じて、上記バッテリ状態テーブル１３１、転送先テーブル１３２、電力量テーブル１３３、通信メディア決定テーブル１３４、着信優先者テーブル１３５、グループテーブル１３６、着信通知テーブル１３７をもとに所定のサービスに係る制御を実行するようにしている。【選択図】      図２
2010124420.tif 000002
【特許請求の範囲】
【請求項１】
第１の通信ネットワークに接続されると共に端末ＩＤが割り当てられバッテリから与えられる電力により駆動する第１の端末と、この第１の通信ネットワークとは異なる第２の通信ネットワークに接続される第２の端末との間の通信接続を実行するサーバ装置において、
前記端末ＩＤと、前記バッテリの残量と、発着信に関する付加サービスとを対応付けた管理テーブルを記憶する記憶手段と、
定期的に前記第１の端末からバッテリの残量情報を取得する取得手段と、
前記第１の端末に対する前記付加サービスの実行要求発生時に、前記取得したバッテリの残量情報に基づいて、前記管理テーブルを参照し、この参照結果に基づいて前記バッテリの残量に対応する付加サービスを実行する制御手段とを具備したことを特徴とするサーバ装置。
【請求項２】
前記記憶手段は、前記管理テーブルとして、前記端末ＩＤと、前記バッテリの残量と、着信転送先とを対応付けた転送先テーブルを記憶し、
前記制御手段は、前記第１の端末宛の着信が到来した場合に、前記取得したバッテリの残量情報に基づいて、前記転送先テーブルを参照し、この参照結果に基づいて前記バッテリの残量に対応する着信転送先に対し着信制御を行うことを特徴とする請求項１記載のサーバ装置。
【請求項３】
前記記憶手段は、前記管理テーブルとして、前記端末ＩＤと、通信可能な通信メディア種別と、メディア通信を実行するための消費電力とを対応付けた電力量テーブル、及び前記バッテリの残量から通信メディアを決定するためのメディア決定テーブルを記憶し、
前記制御手段は、前記第１の端末について通信メディアの使用要求が発生した場合に、前記取得したバッテリの残量情報及び端末の消費電力に基づいて、前記電力量テーブル及び前記メディア決定テーブルを参照して、前記第１の端末に対し通信メディアを割り当てることを特徴とする請求項１記載のサーバ装置。
【請求項４】
前記記憶手段は、前記管理テーブルとして、前記端末ＩＤと、前記バッテリの残量と、着信優先者とを対応付けた着信優先テーブルを記憶し、
前記制御手段は、前記第１の端末宛の着信が到来した場合に、前記取得したバッテリの残量情報に基づいて、前記着信優先テーブルを参照し、この参照結果に基づいて前記バッテリの残量に対応する着信優先者に対し着信制御を行うことを特徴とする請求項１記載のサーバ装置。
【請求項５】
前記記憶手段は、前記管理テーブルとして、前記端末ＩＤと、前記バッテリの残量と、着信通知メディアとを対応付けた着信通知テーブルを記憶し、
前記制御手段は、前記第１の端末について着信転送または着信拒否が発生した場合に、前記取得したバッテリの残量情報に基づいて、前記着信通知テーブルを参照し、この参照結果に基づいて前記バッテリの残量に対応する着信通知メディアにより前記第１の端末に対し着信通知を行うことを特徴とする請求項１記載のサーバ装置。
【請求項６】
データ変更要求が発生したときに、前記管理テーブルの内容を更新する更新手段をさらに備えたことを特徴とする請求項１記載のサーバ装置。
【請求項７】
第１の通信ネットワークに接続されると共に端末ＩＤが割り当てられバッテリから与えられる電力により駆動するとともに、この第１の通信ネットワークとは異なる第２の通信ネットワークに接続されるサーバ装置に対し接続可能な端末装置において、
前記バッテリの残量を検出する検出手段と、
付加サービスの実行要求発生時に、前記バッテリの残量に基づいて、前記付加サービスの実行要求を前記サーバ装置に送信する送信手段とを具備したこと特徴とする端末装置。
【請求項８】
前記送信手段は、着信要求を受信したときに、前記バッテリの残量に基づいて、着信転送要求を前記サーバ装置に送信することを特徴とする請求項７記載の端末装置。
【請求項９】
前記送信手段は、着信要求を受信したときに、前記バッテリの残量に基づいて、着信拒否を前記サーバ装置に送信することを特徴とする請求項７記載の端末装置。
【発明の詳細な説明】
【技術分野】
【０００１】
この発明は、例えばＩＰ(Internet Protocol）電話システム等のように、ＩＰ網を介して端末間でマルチメディア通信を行なうシステムに係り、特にＩＰ網に接続される端末とバッテリで駆動する端末との通信を実行させるサーバ装置、及びバッテリで駆動する端末装置に関する。
【背景技術】
【０００２】
近年、パケット網を介して、双方向に画像や音声をパケットデータとして、リアルタイムに送受信するＩＰ電話システムが普及し始めている。このＩＰ電話システムでは、ＬＡＮ(Local Area Network)やインターネット等のＩＰ網に複数のＩＰ電話端末を収容するとともに、ＩＰ網をゲートウェイを介して公衆網に接続し、ゲートウェイにおいてアドレス変換等を行なうことによりＩＰ電話端末相互間及びＩＰ電話端末と公衆網との間でマルチメディア情報通信を可能としている。
【０００３】
ところで、上記システムでは、バッテリで駆動可能な小型携帯端末とＩＰ電話端末との間でもマルチメディア情報通信を可能としている。この場合、通信サーバ側では、特に端末のバッテリ状態の情報を取得しておらず、端末のバッテリ状態とは無関係に一律の通信サービスを提供している。
【０００４】
このため、バッテリ残量が少ないときに重要でない着信や動画を利用した通信が発生するとバッテリが不足してしまい、重要な通信が途中で切断されたり受信できなかったりする場合がある。
【０００５】
なお、従来では、バッテリ駆動の端末にて、バッテリの残量情報をサーバ装置へ送信し、これを受信したサーバ装置にてバッテリ残量に応じて送信するコンテンツデータの種類を切り替えるクライアントシステムが提案されている（例えば、特許文献１）。
【特許文献１】特開２００７−２６７３３５公報。
【発明の開示】
【発明が解決しようとする課題】
【０００６】
ところで、上記クライアントシステムでは、バッテリ残量に応じて送信するコンテンツデータの種類を切り替えるものであり、バッテリ残量に応じた通信サービスを提供するものではない。
【０００７】
そこで、この発明の目的は、バッテリ駆動の端末に対し、バッテリ残量及び消費電力に応じた通信サービスを実現できるようにしたサーバ装置及び端末装置を提供することにある。
【課題を解決するための手段】
【０００８】
上記目的を達成するために、この発明に係るサーバ装置は、第１の通信ネットワークに接続されると共に端末ＩＤが割り当てられバッテリから与えられる電力により駆動する第１の端末と、この第１の通信ネットワークとは異なる第２の通信ネットワークに接続される第２の端末との間の通信接続を実行するサーバ装置において、端末ＩＤと、バッテリの残量と、発着信に関する付加サービスとを対応付けた管理テーブルを記憶する記憶手段と、定期的に第１の端末からバッテリの残量情報を取得する取得手段と、第１の端末に対する付加サービスの実行要求発生時に、取得したバッテリの残量情報に基づいて、管理テーブルを参照し、この参照結果に基づいてバッテリの残量に対応する付加サービスを実行する制御手段とを備えるようにしたものである。
【０００９】
この構成によれば、端末ＩＤと、バッテリの残量と、発着信に関する付加サービスとを対応付けた管理テーブルを用意し、定期的に第１の端末からバッテリの残量情報を取得するようにしているので、第１の端末に対する付加サービスの実行要求発生時に、取得したバッテリの残量情報に基づいて、管理テーブルを参照して第１の端末に対し現在のバッテリ残量単位で付加サービス実行制御を行うことができる。
【００１０】
記憶手段は、管理テーブルとして、端末ＩＤと、バッテリの残量と、着信転送先とを対応付けた転送先テーブルを記憶し、制御手段は、第１の端末宛の着信が到来した場合に、取得したバッテリの残量情報に基づいて、転送先テーブルを参照し、この参照結果に基づいてバッテリの残量に対応する着信転送先に対し着信制御を行う。
【００１１】
この構成によれば、バッテリが不足している第１の端末に着信が到来した場合に、転送先テーブルに登録されている着信転送先に自動的に転送することによって通信中の切断を防ぐことができる。
【００１２】
記憶手段は、管理テーブルとして、端末ＩＤと、通信可能な通信メディア種別と、メディア通信を実行するための消費電力とを対応付けた電力量テーブル、及びバッテリの残量から通信メディアを決定するためのメディア決定テーブルを記憶し、制御手段は、第１の端末について通信メディアの使用要求が発生した場合に、取得したバッテリの残量情報及び端末の消費電力に基づいて、電力量テーブル及びメディア決定テーブルを参照して、第１の端末に対し通信メディアを割り当てる。
【００１３】
この構成によれば、通信するメディアを消費電力が多いものから少ないものに変更することにより、バッテリ消費量を軽減し、端末動作時間を延命することができる。
【００１４】
記憶手段は、管理テーブルとして、端末ＩＤと、バッテリの残量と、着信優先者とを対応付けた着信優先テーブルを記憶し、制御手段は、第１の端末宛の着信が到来した場合に、取得したバッテリの残量情報に基づいて、着信優先テーブルを参照し、この参照結果に基づいてバッテリの残量に対応する着信優先者に対し着信制御を行う。
【００１５】
この構成によれば、バッテリが不足している第１の端末に着信が到来した場合に、着信優先テーブルに登録されている着信優先者のみ着信を受け付けることによって、バッテリ消費量を軽減し、端末動作時間を延命することができる。
【００１６】
記憶手段は、管理テーブルとして、端末ＩＤと、バッテリの残量と、着信通知メディアとを対応付けた着信通知テーブルを記憶し、制御手段は、第１の端末について着信転送または着信拒否が発生した場合に、取得したバッテリの残量情報に基づいて、着信通知テーブルを参照し、この参照結果に基づいてバッテリの残量に対応する着信通知メディアにより第１の端末に対し着信通知を行う。
【００１７】
この構成によれば、端末ＩＤと、バッテリの残量と、着信通知メディアとを対応付けた着信通知テーブルを予め用意しておくことにより、万一、第１の端末について着信転送または着信拒否が発生した場合に、取得したバッテリの残量情報に基づいて、着信通知テーブルを参照することで、バッテリ消費量の少ない着信通知メディアにより第１の端末に対し着信通知を行うことができるので、第１の端末のユーザにとってはバッテリを消費することなく着信があった旨を確認することができる。
【００１８】
また、この発明に係る端末装置は、第１の通信ネットワークに接続されると共に端末ＩＤが割り当てられバッテリから与えられる電力により駆動するとともに、この第１の通信ネットワークとは異なる第２の通信ネットワークに接続されるサーバ装置に対し接続可能な端末装置において、バッテリの残量を検出する検出手段と、付加サービスの実行要求発生時に、バッテリの残量に基づいて、付加サービスの実行要求をサーバ装置に送信する送信手段とを備えるようにしたものである。
【００１９】
この構成によれば、サーバ装置側でバッテリの残量を管理する必要がなく、これによりサーバ装置の処理負荷を低減できる。
【発明の効果】
【００２０】
以上詳述したようにこの発明によれば、バッテリ駆動の端末に対し、バッテリ残量及び消費電力に応じた通信サービスを実現できるようにしたサーバ装置及び端末装置を提供することができる。
【発明を実施するための最良の形態】
【００２１】
以下、この発明の実施形態について図面を参照して詳細に説明する。  
（第１の実施形態）  
図１は、この発明の第１の実施形態に係わる通信システムを示す概略構成図である。  
このシステムは、パケット通信用のインターネットＩＮＷ及びＬＡＮ（Local Area Network）１を有する。ＬＡＮ１には、端末Ｔ１〜Ｔ４が接続され、インターネットＩＮＷにはアクセスポイントＡＰ１及び無線ＬＡＮを介して端末Ｔ５〜Ｔ７が接続される。なお、端末Ｔ１〜Ｔ４は、通話処理機能とメディア情報処理機能とを備えたＩＰ電話端末、またはパーソナル・コンピュータ上のソフトウェアで実現しているソフトフォンである。
【００２２】
また、ＬＡＮ１とインターネットＩＮＷとの間には、ゲートウェイＧＷが接続されている。このゲートウェイＧＷは、ＬＡＮ１とインターネットＩＮＷとの間を接続するもので、ＬＡＮ１とインターネットＩＮＷとの間における通信プロトコル及び信号フォーマットの変換機能を備えている。
【００２３】
また、ＬＡＮ１には、アクセスポイントＡＰ２及び無線ＬＡＮを介して端末Ｔ８〜Ｔ１０が接続される。なお、端末Ｔ５〜Ｔ１０は、無線ＬＡＮに接続可能でバッテリにより駆動する携帯型の電話端末である。
【００２４】
さらに、ＬＡＮ１には、通信サーバＳＶが接続されている。通信サーバＳＶは、端末Ｔ１〜Ｔ１０及びゲートウェイＧＷに対する交換制御機能を有している。また、通信サーバＳＶには、公衆網ＰＮＷが接続される。公衆網ＰＮＷには、外部の電話端末ＴＴ１が接続される。
【００２５】
ところで、上記通信サーバＳＶは、この発明に係わる機能として次のような機能を有している。図２はその構成を示すブロック図である。
【００２６】
すなわち、通信サーバＳＶは、ＬＡＮインタフェース部１１と、制御部１２と、記憶部１３と、公衆網インタフェース部１４とを備えている。このうち、ＬＡＮインタフェース部１１は、ＬＡＮ１との間でインタフェース処理を行うものである。
【００２７】
公衆網インタフェース部１４は、公衆網ＰＮＷとの間のインタフェース処理を行うものである。
【００２８】
記憶部１３は、上記制御部１２の接続制御に必要なルーティング情報等を格納するとともに、発信者からのボイスメッセージを録音するためのメールボックスを有している。さらに、記憶部１３には、バッテリ状態テーブル１３１と、転送先テーブル１３２と、電力量テーブル１３３と、通信メディア決定テーブル１３４と、着信優先者テーブル１３５と、グループテーブル１３６と、着信通知テーブル１３７とが設けられる。
【００２９】
バッテリ状態テーブル１３１には、図３に示す如く、端末Ｔ１〜Ｔ１０それぞれの端末ＩＤと、パーソナル・コンピュータやＰＤＡ（携帯情報端末）、携帯電話端末等を示す端末種別と、現在のバッテリ残量と、充電状態と、接続状態と、通知周期との対応関係を表すデータが記憶されている。
【００３０】
転送先テーブル１３２には、図４に示す如く、端末Ｔ１〜Ｔ１０それぞれの端末ＩＤと、バッテリ残量と、転送先との対応関係を表すデータが記憶されている。
【００３１】
電力量テーブル１３３には、図５に示す如く、端末種別と、メディア種別と、端末消費電力との対応関係を表すデータが記憶されている。
【００３２】
通信メディア決定テーブル１３４には、図６に示す如く、端末種別と、バッテリ残量と、端末消費電力最大量（閾値）との対応関係を表すデータが記憶されている。
【００３３】
着信優先者テーブル１３５には、図７に示す如く、端末Ｔ１〜Ｔ１０それぞれの端末ＩＤと、バッテリ残量と、グループインデックスと、転送先との対応関係を表すデータが記憶されている。
【００３４】
グループテーブル１３６には、図８に示す如く、端末Ｔ１〜Ｔ１０から構成した複数のグループを指定するグループインデックスと、端末Ｔ１〜Ｔ１０それぞれの端末ＩＤとの対応関係を表すデータが記憶されている。
【００３５】
着信通知テーブル１３７には、図９に示す如く、端末Ｔ１〜Ｔ１０それぞれの端末ＩＤと、バッテリ残量と、着信通知メディアとの対応関係を表すデータが記憶されている。
【００３６】
一方、制御部１２は、端末Ｔ１〜Ｔ１０の状態管理に係わる制御機能に加え、この発明に係わる新たな機能として、バッテリ残量情報取得部１２１と、サービス実行制御部１２２と、データ更新部１２３とを備えている。
【００３７】
バッテリ残量情報取得部１２１は、バッテリ状態テーブル１３１に登録された通知周期で、該当する端末Ｔ１〜Ｔ１０からバッテリの残量情報を取得する。
【００３８】
サービス実行制御部１２２は、サービス実行要求発生時に、上記バッテリ残量情報取得部１２１で取得したバッテリの残量情報に基づいて、バッテリ状態テーブル１３１、転送先テーブル１３２、電力量テーブル１３３、通信メディア決定テーブル１３４、着信優先者テーブル１３５、グループテーブル１３６、着信通知テーブル１３７の少なくとも１つを参照し、この参照結果からバッテリの残量に応じたサービスを実行する。
【００３９】
データ更新部１２３は、例えば保守用の端末Ｔ４からデータ変更要求を受信したときに、転送先テーブル１３２、電力量テーブル１３３、通信メディア決定テーブル１３４、着信優先者テーブル１３５、グループテーブル１３６、着信通知テーブル１３７の少なくとも１つのデータ更新を行う。
【００４０】
次に、以上のように構成された通信システムの動作を説明する。  
（バッテリ状態通知）  
端末Ｔ５（端末ＩＤ：Ｂｏｂ）が通信サーバＳＶに接続されているとき、自端末Ｔ５内のバッテリ状態を検知しバッテリ残量、充放電状態、端末機種を定期的に通信サーバＳＶに通知する。通知を受信した通信サーバＳＶはその情報を利用してバッテリ状態テーブル１３１の内容を書き換える。また、バッテリ状態テーブル１３１は、端末Ｔ５からのバッテリ状態の通知周期が記載してあり、それにしたがって端末Ｔ５は通知を行っている。この周期の値に関しては端末Ｔ５から設定されてもよいし、保守用の端末Ｔ４を利用して通信サーバＳＶで設定してもよい。また、通信サーバＳＶによって、各端末Ｔ１〜Ｔ１０からバッテリ残量、充放電状態、端末機種を定期的に取得するようにしてもよい。
【００４１】
（着信転送動作）  
いま、図１０に示すように、端末Ｔ１（端末ID：Alice）からバッテリで動作をしている端末Ｔ５（端末ID：Bob）へ発信を行ったとする（図１０（１））。そうすると、端末Ｔ１（端末ID：Alice）から発信要求を受けた通信サーバＳＶでは、バッテリ状態テーブル１３１と転送先設定テーブル１３２を参照し、その結果から着信先の端末Ｔ５へ着信させるか、転送先に転送するか決定する（図１０（２））。すなわち、端末Ｔ５のバッテリ状態に応じて転送先を指定し自身の端末Ｔ５に着信してきた呼を着信転送先となる端末Ｔ３へ転送する。通信サーバＳＶは、着信転送先となる端末Ｔ３に対し着信データを送信して着信報知を行わせる（図１０（３））。
【００４２】
これによって、特にバッテリ残量が少なくなってきたときに、着信転送先となる端末Ｔ３に着信し、相手と通信している最中にバッテリー不足で切断されてしまうことを防ぐことができるようになる。
【００４３】
（通信メディアの設定変更動作）  
今、図１１に示すように、端末Ｔ１（端末ID：Alice）からバッテリで動作をしている端末Ｔ５（端末ID：Bob）へ通信メディアとして「動画」を使用する発信要求を行ったとする（図１１（１））。端末Ｔ１（端末ID：Alice）から発信要求を受けた通信サーバＳＶでは、バッテリ状態テーブル１３１と着信先端末Ｔ５に該当する電力量テーブル１３３と通信メディア決定テーブル１３４を参照し（図１１（２））、その結果から通信を行うメディアを決定して着信先の端末Ｔ５へ着信させる。ここで、端末Ｔ５のバッテリ残量が（４０％）である場合に（図１１（３））、「動画」から「音声」へ通信メディアを変更する（図１１（４））。
【００４４】
その結果として端末のバッテリ状態に応じた通信メディアを利用することができるようになる。つまりバッテリ残量が十分であるときは、端末の消費電力が多くなる動画＋映像などのわかりやすいメディアを使って通信し、バッテリ残量が少なくなってくると、音声のみやIM（インスタントメッセージ）などの比較的消費電力の少ないメディアを使って通信することができる。そうすることにより、特にバッテリ残量が少なくなってきたときに、相手と通信している最中にバッテリー不足で切断されてしまうことを防ぐことができ、結果としてバッテリの持続時間を延ばすことができる。ここで、電力量テーブル１３３は、ユーザが保守用の端末Ｔ４から通信サーバＳＶに設定することもできるし、また端末が必要な情報を通信サーバＳＶに対して送信し、その情報を通信サーバＳＶが設定してもよい。また通信中にバッテリ状態テーブル１３１を定期的に参照しバッテリ残量が変化した場合、再度電力量テーブル１３３と通信メディア決定テーブル１３４を参照して通信メディアを再決定し変更を行ってもよい。
【００４５】
（優先着信動作）  
次に、端末Ｔ１（端末ID：Alice）からバッテリで動作をしている端末Ｔ５（端末ID：Bob）へ発信操作を行ったとする。端末Ｔ１（端末ID：Alice）から発信要求を受けた通信サーバＳＶでは、バッテリ状態テーブル１３１と着信先端末Ｔ５に該当する着信優先者テーブル１３５を参照する。バッテリ残量から該当するグループインデックスがあった場合、グループテーブル１３６を参照し、発信先情報がグループに含まれるかどうかを判定する。その結果グループに含まれると判定された場合、通信サーバＳＶは着信先端末Ｔ５へ着信させ通信を確立する。またグループに含まれないと判断したときは着信を拒否し、その旨を発信先の端末Ｔ１に通知する。また、着信拒否と判断された場合、着信優先者テーブル１３５に転送先が指定されてるときは、指定されている転送先に転送を行う。つまりバッテリ残量が少なくなってきたときに、ユーザにとって重要な相手のみ着信を行いそれ以外の着信は端末に着信しないようにすることができる。そうすることによって端末バッテリが不足して、本当に重要な通信ができなくなってしまうことを防ぐことができるようになる。
【００４６】
（プレゼンス管理）  
次に、通信サーバＳＶでは各端末Ｔ１〜Ｔ１０それぞれのプレゼンス状態も管理している。そのときの端末Ｔ５（端末ID：Bob）はプレゼンス状態が「在席中」であるとする。そのとき端末Ｔ１（端末ID：Alice）からバッテリで動作をしている端末Ｔ５（端末ID：Bob）へ発信を行ったとする。そのとき、通信サーバＳＶは、プレゼンス状態を参照し着信先端末Ｔ５に着信を行なわせてもよいし、バッテリ状態テーブル１３１と転送先テーブル１３２を参照して決定した転送先に転送してもよい。
【００４７】
（着信通知動作）  
次に、端末Ｔ１（端末ID：Alice）からバッテリで動作をしている端末Ｔ５（端末ID：Bob）へ発信操作を行ったとする。このとき、端末Ｔ５のバッテリ残量が低いため、転送または着信拒否の動作が行われたとする。その際に、通信サーバＳＶは、着信通知テーブル１３７を参照して、端末Ｔ５とバッテリ容量に応じた着信通知メディア種別を取得し、着信先の端末Ｔ５に着信があった旨を取得したメディア種別で通知することができる。この場合、Ｅメールにより通知される。
【００４８】
このようにすることで、バッテリ状態が低いために着信できなかった通信を端末Ｔ５のユーザは知ることができるようになる。通知の内容は、発信先のみでもよいし、その通信に付随した情報が付加されていてもよい。
【００４９】
以上述べたように上記第１の実施形態では、通信サーバＳＶの記憶部１３に、バッテリ状態テーブル１３１、転送先テーブル１３２、電力量テーブル１３３、通信メディア決定テーブル１３４、着信優先者テーブル１３５、グループテーブル１３６、着信通知テーブル１３７を記憶しておくとともに、バッテリ残量情報取得部１２１により定期的に端末Ｔ１〜Ｔ１０からバッテリの残量情報を取得し、端末Ｔ１〜Ｔ１０からの要求または公衆網ＮＷに接続される外部電話端末ＴＴ１からの要求に応じて、上記バッテリ状態テーブル１３１、転送先テーブル１３２、電力量テーブル１３３、通信メディア決定テーブル１３４、着信優先者テーブル１３５、グループテーブル１３６、着信通知テーブル１３７をもとに所定のサービスに係る制御を実行するようにしている。
【００５０】
従って、バッテリが不足している端末Ｔ５に着信が到来した場合に、転送先テーブル１３２に登録されている着信転送先に自動的に転送することによって通信中の切断を防ぐことができる。また、通信するメディアを消費電力が多いものから少ないものに変更することにより、バッテリ消費量を軽減し、端末動作時間を延命することができる。さらに、万一、端末Ｔ５について着信転送または着信拒否が発生した場合に、取得したバッテリの残量情報に基づいて、着信通知テーブル１３７を参照することで、バッテリ消費量の少ないＥメールにより端末Ｔ５に対し着信通知を行うことができるので、端末Ｔ５のユーザにとってはバッテリを消費することなく着信があった旨を確認することができる。
【００５１】
（第２の実施形態）  
図１２は、この発明の第２の実施形態に係るバッテリ駆動の端末の機能構成を示すブロック図である。ここでは、端末Ｔ５を代表して説明する。
【００５２】
上記端末Ｔ５は、無線部１００と、ベースバンド部２００と、入出力部３００と、電源部４００とから構成される。
【００５３】
アクセスポイントＡＰ１から無線ＬＡＮを介して到来した無線信号は、アンテナ１１１で受信されたのち無線部１００により所定の信号処理が施されてベースバンド部２００に供給される。
【００５４】
ベースバンド部２００は、主制御部２２１と、音声コーデック２２２と、ＬＣＤ制御部２２３とを備えている。上記無線部１００の出力信号は、主制御部２２１において制御データであるか音声データであるかが識別され、音声データであれば音声コーデック２２２に供給される。
【００５５】
音声コーデック２２２に供給された音声データは音声復号され、これにより再生された音声信号は入出力部３００のスピーカ３３２から拡声出力される。また、入出力部３００のＬＣＤ３３３には、主制御部２２１からＬＣＤ制御部２２３を介して出力された自装置の動作状態を表す種々情報、例えば電話帳や受信電界強度検出値、バッテリ４４１の残量なども表示される。
【００５６】
キー入力部３３４は、端末Ｔ５に対し種々の動作指示を入力するために使用するものである。
【００５７】
一方、入出力部３００のマイクロホン３３１から出力されたユーザの送話音声信号は、ベースバンド部２００の音声コーデック２２２に供給され、ここで音声符号化されたのち主制御部２２１に供給される。主制御部２２１では、上記符号化された音声データが画像データまたは制御データと所定のフォーマットで多重化され、この多重化された送信データは無線部１００を介してアンテナ１１１に供給され、このアンテナ１１１からアクセスポイントＡＰ１に向け送信される。
【００５８】
なお、電源部４００には、バッテリ４４１と、このバッテリ４４１を充電するための充電回路４４２と、電圧生成回路（ＰＳ）４４３とが設けられている。電圧生成回路４４３は、バッテリ４４１の出力電圧をもとに所定の電源電圧Ｖｃｃを生成する。
【００５９】
ところで、上記主制御部２２１はマイクロプロセッサ、ＲＯＭ及びＲＡＭを備えたもので、無線ＬＡＮの接続制御や通信リンク確立後の通話制御を行う通話制御機能の他に、バッテリ残量検出部２２１ａと、サービス要求送信制御部２２１ｂとを備えている。
【００６０】
バッテリ残量検出部２２１ａは、上記バッテリ４４１の残量を検出する。サービス要求送信制御部２２１ｂは、無線ＬＡＮを介して通信サーバＳＶとの間で通信を行なうもので、着信要求を受信したときに、上記バッテリ残量検出部２２１ａにより検出されたバッテリ４４１の残量に応じて、着信転送要求または着信拒否を通信サーバＳＶＡに対し送信する。
【００６１】
以上のように上記第２の実施形態では、各端末Ｔ１〜Ｔ１０において、着信要求を受信した際に、バッテリ４４１の残量に応じて通信サーバＳＶに対し着信転送要求または着信拒否を送信するようにしているので、通信サーバＳＶ側で各端末Ｔ１〜Ｔ１０のバッテリ４４１の残量を管理する必要がなく、これにより通信サーバＳＶの処理負荷を低減できる。
【００６２】
（その他の実施形態）  
なお、この発明は上記各実施形態に限定されるものではない。上記各実施形態では、端末として電話端末やパーソナル・コンピュータ等を例にとって説明したが、通信機能搭載のゲーム機等のバッテリ駆動の電子機器であってもよい。
【００６３】
また、上記第２の実施形態では、バッテリの残量に応じて、着信拒否や転送要求を行う例について説明したが、その他の付加サービスの実行要求を通信サーバに送信するようにしてもよい。
【００６４】
その他、システム構成、通信サーバの機能構成、端末の構成、各通信サービスの制御手順とその内容等についても、この発明の要旨を逸脱しない範囲で種々変形して実施できる。
【図面の簡単な説明】
【００６５】
【図１】この発明の第１の実施形態に係わる通信システムを示す概略構成図。
【図２】上記図１に示した通信サーバの機能構成を示すブロック図。
【図３】上記図２に示したバッテリ状態テーブルの記憶内容の一例を示す図。
【図４】上記図２に示した転送先テーブルの記憶内容の一例を示す図。
【図５】上記図２に示した電力量テーブルの記憶内容の一例を示す図。
【図６】上記図２に示した通信メディア決定テーブルの記憶内容の一例を示す図。
【図７】上記図２に示した着信優先者テーブルの記憶内容の一例を示す図。
【図８】上記図２に示したグループテーブルの記憶内容の一例を示す図。
【図９】上記図２に示した着信通知テーブルの記憶内容の一例を示す図。
【図１０】同第１の実施形態における着信転送動作を説明するための図。
【図１１】同第１の実施形態における通信メディアの変更動作を説明するための図。
【図１２】この発明の第２の実施形態に係る端末の機能構成を示すブロック図。
【符号の説明】
【００６６】
１…ＬＡＮ、１１…ＬＡＮインタフェース部、１２…制御部、１３…記憶部、１４…公衆網インタフェース部、１２１…バッテリ残量情報取得部、１２２…サービス実行制御部、１２３…データ更新部、１３１…バッテリ状態テーブル、１３２…転送先テーブル、１３３…電力量テーブル、１３４…通信メディア決定テーブル、１３５…着信優先者テーブル、１３６…グループテーブル、１３７…着信通知テーブル、Ｔ１〜Ｔ１０…端末、ＩＮＷ…インターネット、ＡＰ１，ＡＰ２…アクセスポイント、ＳＶ…通信サーバ。
【図１】
2010124420.tif 000003
【図２】
2010124420.tif 000004
【図３】
2010124420.tif 000005
【図４】
2010124420.tif 000006
【図５】
2010124420.tif 000007
【図６】
2010124420.tif 000008
【図７】
2010124420.tif 000009
【図８】
2010124420.tif 000010
【図９】
2010124420.tif 000011
【図１０】
2010124420.tif 000012
【図１１】
2010124420.tif 000013
【図１２】
2010124420.tif 000014
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
第１の通信ネットワークに接続されると共に端末ＩＤが割り当てられバッテリから与えられる電力により駆動する第１の端末と、この第１の通信ネットワークとは異なる第２の通信ネットワークに接続される第２の端末との間の通信接続を実行するサーバ装置において、
前記端末ＩＤと、前記バッテリの残量と、前記バッテリの残量を３段階以上に区分し段階ごとに異なる着信転送先とを対応付けた転送先テーブルを記憶する記憶手段と、
定期的に前記第１の端末からバッテリの残量情報を取得する取得手段と、
前記第１の端末宛の着信が到来した場合に、前記取得したバッテリの残量情報に基づいて、前記転送先テーブルを参照し、この参照結果に基づいて前記バッテリの残量の段階に対応する着信転送先に対し着信制御を行う制御手段とを具備したことを特徴とするサーバ装置。
【請求項２】
第１の通信ネットワークに接続されると共に端末ＩＤが割り当てられバッテリから与えられる電力により駆動する第１の端末と、この第１の通信ネットワークとは異なる第２の通信ネットワークに接続される第２の端末との間の通信接続を実行するサーバ装置において、
前記端末ＩＤと、通信可能な通信メディア種別と、メディア通信を実行するための消費電力とを対応付けた電力量テーブル、及び前記バッテリの残量から通信メディアを決定するためのメディア決定テーブルを記憶する記憶手段と、
定期的に前記第１の端末からバッテリの残量情報を取得する取得手段と、
前記第１の端末について通信メディアの使用要求が発生した場合に、前記取得したバッテリの残量情報及び端末の消費電力に基づいて、前記電力量テーブル及び前記メディア決定テーブルを参照して、前記第１の端末に対し通信メディアを割り当てる制御手段とを具備したことを特徴とするサーバ装置。
【請求項３】
第１の通信ネットワークに接続されると共に端末ＩＤが割り当てられバッテリから与えられる電力により駆動する第１の端末と、この第１の通信ネットワークとは異なる第２の通信ネットワークに接続される第２の端末との間の通信接続を実行するサーバ装置において、
前記端末ＩＤと、前記バッテリの残量と、着信優先者とを対応付けた着信優先テーブルを記憶する記憶手段と、
定期的に前記第１の端末からバッテリの残量情報を取得する取得手段と、
前記第１の端末宛の着信が到来した場合に、前記取得したバッテリの残量情報に基づいて、前記着信優先テーブルを参照し、この参照結果に基づいて前記バッテリの残量に対応する着信優先者に対し着信制御を行う制御手段とを具備したことを特徴とするサーバ装置。
【請求項４】
前記記憶手段は、前記端末ＩＤと、前記バッテリの残量と、着信通知メディアとを対応付けた着信通知テーブルを記憶し、
前記制御手段は、前記第１の端末について着信転送または着信拒否の動作が行われたと判断した場合に、前記取得したバッテリの残量情報に基づいて、前記着信通知テーブルを参照し、この参照結果に基づいて前記バッテリの残量に対応する着信通知メディアにより前記第１の端末に対し着信通知を行うことを特徴とする請求項３記載のサーバ装置。
【請求項５】
データ変更要求が発生したときに、前記転送先テーブルの内容を更新する更新手段をさらに備えたことを特徴とする請求項１記載のサーバ装置。
【請求項６】
データ変更要求が発生したときに、前記電力量テーブル及び前記メディア決定テーブルそれぞれの内容を更新する更新手段をさらに備えたことを特徴とする請求項２記載のサーバ装置。
【請求項７】
データ変更要求が発生したときに、前記着信優先テーブルの内容を更新する更新手段をさらに備えたことを特徴とする請求項３記載のサーバ装置。